(57)【要約】【課題】ラック本体１００における冷気６０が導入される側と情報処理機器５０を冷却した空気が排気される排気側とを遮断する冷気導入部２００を設けた場合でも、ラック本体１００または情報処理機器５０に取り付けられた空冷ファン５１に対して排気能力を上回る過大な負荷がかかることがなく、当該空冷ファン５１の故障を防ぐことができる。【解決手段】情報処理機器５０を収容する機器収容ラック２０であって、情報処理機器５０を支持するラック本体１００と、冷気６０の風圧を保って、冷気６０をラック本体１００に導入する冷気導入部２００と、冷気導入部２００に配され、冷気導入部２００内の風圧を排気側に開放する風圧調整部とを備える機器収容ラック２０が提供される。【選択図】図１
2007316989.tif 000002
【特許請求の範囲】
【請求項１】
情報処理機器を収容する機器収容ラックであって、
情報処理機器を支持するラック本体と、
冷気の風圧を保って、前記冷気を前記ラック本体に導入する冷気導入部と、
前記冷気導入部に配され、前記冷気導入部内の風圧を排気側に開放する風圧調整部と
を備える機器収容ラック。
【請求項２】
前記冷気導入部は、前記ラック本体における前記冷気が導入される側の面を前記排気側から隔てる天面および側面を有し、
前記冷気は前記冷気導入部の下側から導入され、
前記風圧調整部は、前記冷気導入部の前記天面に設けられて、前記冷気導入部の下側から導入される前記冷気の風圧を排気側に開放する請求項１に記載の機器収容ラック。
【請求項３】
前記冷気導入部は、前記ラック本体における前記冷気が導入される側の面を前記排気側から隔てる天面および側面を有し、
前記冷気は前記冷気導入部の下側から導入され、
前記風圧調整部は、前記冷気導入部の前記側面の上部に設けられて、前記冷気導入部の下側から導入される前記冷気の風圧を排気側に開放する請求項１に記載の機器収容ラック。
【請求項４】
前記風圧調整部は、前記冷気導入部内の風圧が前記排気側の気圧よりも所定値以上高い場合に開くフラップを含む請求項１に記載の機器収容ラック。
【請求項５】
前記風圧調整部はスリットである請求項１に記載の機器収容ラック。
【請求項６】
前記風圧調整部はノズルである請求項１に記載の機器収容ラック。
【請求項７】
前記ラック本体は、前記冷気導入部から前記冷気が導入される側の面の少なくとも一部に冷気の導入を遮断するブランクパネルを有し、前記風圧調整部は、前記ブランクパネルに設けられる請求項１から６のいずれかに記載の機器収容ラック。
【請求項８】
前記冷気導入部内と外部とを利用者が出入りするための出入扉をさらに備え、前記風圧調整部は、前記出入扉に設けられる請求項１から７のいずれかに記載の機器収容ラック。
【請求項９】
情報処理機器を収容する機器収容室の温度を調整する機器収容室用空調システムであって、
冷気を出力する空調装置と、
情報処理機器を収容する機器収容ラックと、
前記空調装置から出力された冷気を前記機器収容ラックに送風する送風路と
を備え、
前記機器収容ラックは、
前記情報処理機器を支持するラック本体、
送風路から送付された冷気の風圧を保って、前記冷気を前記ラック本体に導入する冷気導入部、および、
前記冷気導入部に配され、前記冷気導入部内の風圧を排気側に開放する風圧調整部を有する機器収容室用空調システム。
【発明の詳細な説明】
【技術分野】
【０００１】
本発明は、電算機等の情報処理機器を収容する機器収容ラックおよび機器収容室用空調システムに関する。より詳しくは、データセンターまたは電算センター等（以下、これらをまとめて「データセンター」と称す）において、機器収容室に設置された機器収容ラックに収容された情報処理機器を冷却するために、空調装置からの冷気をラック本体に効率よく導入することのできる機器収容ラックおよび機器収容室用空調システムに関する。
【背景技術】
【０００２】
データセンター等の機器収容室に収容されるコンピュータまたは通信機器等の情報処理機器は、その発熱対策が重要であり、情報処理機器の温度上昇はシステムトラブルに直結する。このため、情報処理機器の冷却には専用の空調システムが用いられる（例えば、特許文献１を参照）。
【特許文献１】特開平８−３０３８１５号公報
【０００３】
例えば上記特許文献１に開示されている空調システムは、情報処理機器を収容するラックが置かれた室内の床が二重床となっている。この二重床の間には空間があり、空調機から供給される冷気はこの空間を通って上記ラックの下側からラック内部に導入される。ラック内部に導入された冷気は、ラック内の情報処理機器を冷却した後、ラックの上方（または背面方向）に放出される。この放出される空気は、各ラックの上方を通って空調機の吸入口に吸い込まれ、再び冷気となって上記二重床の間の空間に吹き出される。
【０００４】
ところで、近年、データセンター等で使用している情報処理機器の使用時における発熱量はより大きくなってきている。したがって、上記空調システムにおいては、ラック上段の情報処理機器を効率的に冷却することが課題となっており、当該課題を解決するべく空調システムが提案されている。
【特許文献２】特開２００４−１８４０７０号公報
【０００５】
上記特許文献２には、通路を挟んだ両側のラックの上面間（通路上方）に遮蔽板を設け、さらに通路の両端に壁体が配された空調システムが開示されている。この空調システムでは、上記両側のラック、遮蔽板および壁体で囲まれる空間が外部と遮断されており、この空間に床面から冷気が供給される。この場合、ラックは、通路と対向する側の面から冷気をラック内に導入することができるので、ラックの上段の情報処理機器をより効率的に冷却することができる。
【発明の開示】
【発明が解決しようとする課題】
【０００６】
しかしながら、従来の空調システムにおいて、空調機からの冷気の供給能力は、ラックまたは情報処理機器に取り付けられたファンによる排気能力よりも大きく設定されている。これは、外気温の変化および情報処理機器の発熱量などの様々な条件の変化に対して、情報処理機器の冷却能力が不足することがないように冷気の供給能力が設定されているためである。したがって、上記のように、ラック、遮蔽板および壁体で囲まれる空間が外部と遮断された空調システムでは、すなわち上記ファンに対して排気能力を上回る過大な負荷がかかり、当該ファンの故障に繋がる場合がある。
【課題を解決するための手段】
【０００７】
上記課題を解決するために、本発明の第１の形態においては、情報処理機器を収容する機器収容ラックであって、情報処理機器を支持するラック本体と、冷気の風圧を保って、冷気をラック本体に導入する冷気導入部と、冷気導入部に配され、冷気導入部内の風圧を排気側に開放する風圧調整部とを備える機器収容ラックが提供される。これにより、ラック本体における冷気が導入される側と情報処理機器を冷却した空気が排気される排気側とを遮断する冷気導入部を設けた場合でも、ラック本体または情報処理機器に取り付けられたファンに対して排気能力を上回る過大な負荷がかかることがなく、当該ファンの故障を防ぐことができる。
【０００８】
上記機器収容ラックにおいて、冷気導入部は、ラック本体における冷気が導入される側の面を排気側から隔てる天面および側面を有し、冷気は冷気導入部の下側から導入され、風圧調整部は、冷気導入部の天面または側面の上部に設けられて、冷気導入部の下側から導入される冷気の風圧を排気側に開放してもよい。これにより、風圧調整部が冷気導入部の下部に設けられた場合と比べて、冷気導入部の下側から導入される冷気がラック本体に導入されるのを妨げることなく、冷気導入部内の風圧の上昇を抑えることができる。
【０００９】
また、上記機器収容ラックにおいて、風圧調整部は、冷気導入部内の風圧が排気側の気圧よりも所定値以上高い場合に開くフラップを含んでもよい。これにより、上記機器収容ラックは、冷気導入部内の風圧の上昇を抑えて一定に保つことができるので、ラック本体または情報処理機器に取り付けられたファンに対して排気能力を上回る過大な負荷がかかることを防ぐことができる。
【００１０】
また、上記機器収容ラックにおいて、風圧調整部は、スリットまたはノズルの少なくとも一方を含んでもよい。これにより、上記機器収容ラックは、簡易な構成により冷気導入部内の風圧の上昇を抑えることができる。
【００１１】
また、上記機器収容ラックにおいて、ラック本体は、冷気導入部から冷気が導入される側の面の少なくとも一部に冷気の導入を遮断するブランクパネルを有し、風圧調整部は、ブランクパネルに設けられてもよい。これにより、ラック本体における情報処理機器が収容されている部分にだけ冷気を導入することができる。また、風圧調整部がブランクパネルに設けられているので、ラック本体にブランクパネルが設けられたことで冷気導入部内の風圧の急激な上昇を抑えることができる。
【００１２】
また、上記機器収容ラックは、冷気導入部内と外部とを利用者が出入りするための出入扉をさらに備え、風圧調整部は、出入扉に設けられてもよい。
【００１３】
本発明の第２の形態においては、情報処理機器を収容する機器収容ラックと、空調装置から出力された冷気を機器収容ラックに送風する送風路とを備え、機器収ラックは、情報処理機器を支持するラック本体、送風路から送付された冷気の風圧を保って、冷気をラック本体に導入する冷気導入部、および、冷気導入部に配され、冷気導入部内の風圧を排気側に開放する風圧調整部を有する機器収容室用空調システムが提供される。
【００１４】
なお、上記発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、本発明の実施形態に係る機器収容室用空調システム１０の外観を示す斜視図である。図２は、機器収容室用空調システム１０の一部を透視した斜視図である。図３は、機器収容ラック２０の通路４３と直交する面における概略断面図、および、フラップ３００の拡大図である。図１から図３において、機器収容室用空調システム１０は建物の室内に配されており、不図示の壁および天井で囲まれている。図１に示すように、機器収容室用空調システム１０は、機器収容ラック２０および機器収容ラック２０の両側に設けられた空調装置３０とを備える。また、図２に示すように、機器収容ラック２０および空調装置３０が設置されている床は二重床４０となっており、二重床４０の間には内部空間４１がある。
【００１７】
機器収容ラック２０は、複数のラック本体１００、冷気導入部２００、出入扉２３０を有する。複数のラック本体１００は、床面に対して鉛直な一の側面に冷気導入口１０１を有し、この冷気導入口１０１を有する側面が対向するように２列に並んで配される。また、これら複数のラック本体１００は、冷気導入口１０１を有する側面の裏側に位置する側面に熱気排出口１０２を有する。
【００１８】
上記のように２列に並んで配された複数のラック本体１００は、その列と列との間に間隔を有する。後述するように、複数のラック本体１００はそれぞれ情報処理機器５０を収容するが、上記の間隔は、この情報処理機器５０の管理担当者等の利用者の通路４３である。したがって、通路４３は、利用者が通行またはラック本体１００の前で作業するのに十分な広さであることが好ましい。
【００１９】
図３に示すように、複数のラック本体１００は、それぞれ内部で複数の段（本実施形態では４段）に分割されており、各段は、それぞれ通路４３側に冷気導入口１０１を有し、冷気導入口１０１を有する側と情報処理機器５０を挟んで反対側に熱気排出口１０２を有する。また、ラック本体１００の各段には空冷ファン５１を備えた情報処理機器５０が収容されており、情報処理機器５０は、各段の底板に固定されて支持される。ここで、機器収容室用空調システム１０の運転時において、各段の情報処理機器５０の空冷ファン５１は、冷気導入口１０１の側から熱気排出口１０２の側に空気の流れを作るように回転する。
【００２０】
冷気導入部２００は、側面２１０および天面２２０を有し、通路４３の上方に配されて上記複数のラック本体１００の上面に固定される。この冷気導入部２００の側面２１０には、フラップ３００が配される。
【００２１】
図３に示すように、フラップ３００は、開口部３１０、把持部３２０および開閉部３３０を有し、上記のように冷気導入部２００の側面２１０に配される。開閉部３３０は、例えば樹脂またはゴム等で形成されたシート状または板状の部材であり、把持部３２０に接着またはビス留め等の方法で固定される。上記フラップ３００は、風圧調整部の一の形態である。
【００２２】
出入扉２３０は、通路４３の両端に配されて、上記複数のラック本体１００のそれぞれの列の両端に位置するラック本体１００の側面に固定される。上記利用者は、通路４３に入るときまたは通路４３から出るときにこの出入扉２３０を開閉して出入りする。出入扉２３０の開閉は手動または自動のいずれかに限定されず、また、開閉の形態もスライド式および回動式等いずれの形態でもよい。
【００２３】
以下において、機器収容室用空調システム１０の空調機能について説明する。図２に示すように、機器収容ラック２０の両側に設けられた空調装置３０は、上面に吸気口３１を有し、また、下面に吹出口３２を有する。この吹出口３２は、二重床４０の上側の床を貫通して開口しており、空調装置３０は、吸気口３１より吸い込んだ空気を冷却して吹出口３２から二重床４０の間の内部空間４１に冷気６０を吹き出す。空調装置３０の吹出口３２から吹き出した冷気６０は、二重床４０の間の内部空間４１を通って通路４３の床面に配された通風板４２の直下に達して、通風板４２を通って通路４３の側に流れ込む。この通風板４２は、例えば格子状のステンレス板等が用いられるが、通気孔があり利用者の往来にも耐えうる強度があればこれに限定されない。
【００２４】
図３に示すように、通路４３に流れ込んだ冷気６０は、その流入圧および空冷ファン５１の送風圧によって、ラック本体１００の各段の冷気導入口１０１からラック本体１００の内部に導入される。このとき、通路４３の上部および両端が冷気導入部２００および出入扉２３０で覆われているので、ラック本体１００の各段の冷気導入口１０１は、機器収容ラック２０の外側（以下において「排気側」と称する）と隔てられる。したがって、通路４３に流れ込む冷気６０は、排気側に流出することなくその風圧を保ったままラック本体１００の内部に導入される。
【００２５】
ラック本体１００の各段の内部に導入された冷気６０は、情報処理機器５０を冷却して熱気７０となり、空冷ファン５１の送風圧によって熱気排出口１０２より排気側に排気される。排気側に排気された熱気７０は、空調装置３０の吸気口３１より回収されて、空調装置３０により冷却されて冷気６０となって、吹出口３２から二重床４０の間の内部空間４１に吹き出す。
【００２６】
上記フラップ３００の開閉部３３０は、冷気導入部２００内に流れ込む冷気６０の風圧が機器収容ラック２０の排気側の気圧よりも所定値以上高い場合に開いて、冷気導入部２００内に流れ込む冷気６０の一部を排気側に開放する（図３の拡大図の破線部参照）。上記所定値は、通路４３に流れ込む冷気６０の流入圧および情報処理機器５０に取り付けられた空冷ファン５１の排気能力等を考慮して開閉部３３０の厚さおよび材質等を選択することで所望に設定することができる。これにより、機器収容室用空調システム１０の機器収容ラック２０は、冷気導入部２００内の冷気６０による風圧の上昇を抑えて一定に保つことができるので、情報処理機器５０に取り付けられた空冷ファン５１に対して排気能力を上回る過大な負荷がかかることがなく、空冷ファン５１の故障を防ぐことができる。
【００２７】
また、上記フラップ３００の開閉部３３０が風圧で撓まない程度の剛性を有する板状の部材であれば、冷気導入部２００内からの気圧または風圧よりも排気側（冷気導入部２００の外側）の気圧または風圧が高い場合にもフラップ３００は開かない。したがって、排気側からの熱気７０がフラップ３００から冷気導入部２００内に流れ込むことがない。
【００２８】
また、図１から図３に示すように、フラップ３００は、ラック本体１００の冷気導入口１０１よりも上側に設けられている。仮にフラップ３００がラック本体１００の冷気導入口１０１よりも下側に設けられた場合、通路４３の床面に配された通風板４２から導入される冷気６０がラック本体１００の冷気導入口１０１に達する前にフラップ３００から排気される可能性がある。これに対し、本実施形態では、通路４３の床面に配された通風板４２から導入される冷気６０が冷気導入口１０１からラック本体１００に導入されるのを妨げることがない。
【００２９】
また、二重床４０の間の内部空間４１には電気配線等が収容されることが多い。このような電気配線等から出火した場合に、その煙は通風板４２から冷気導入部２００内に流れ込む。このとき、煙はフラップ３００から排気されるので、冷気導入部２００がフラップ３００等の風圧調整部を備えていない場合と比べて、天井の煙感知器等により煙が感知されるまでの時間が短くなり、床下の火災をより早期に発見することができる。
【００３０】
図４は、他の実施形態に係る機器収容室用空調システム１１の外観を示す斜視図である。また、図５は、機器収容ラック２１の通路４３と直交する面における概略断面図およびフラップ３００の拡大図である。図４および図５において図１から図３と同じ参照番号を付したものについては同じ構成であるので説明を省略する。図４に示すように、機器収容室用空調システム１１の機器収容ラック２１において、風圧調整部の他の形態であるフラップ３０１は、冷気導入部２００の天面２２０に配される。このフラップ３０１は、図４および図５に示すように、開口部３１１、ヒンジ３２１および開閉部３３１を有する。開閉部３３１は、例えば樹脂またはゴム等で形成される板状の部材であり、ヒンジ３２１に接着またはビス留め等の方法で固定される。
【００３１】
上記フラップ３０１の開閉部３３１は、冷気導入部２００内に流れ込む冷気６０の風圧が機器収容ラック２１の排気側の気圧よりも所定値以上高い場合に開いて、冷気導入部２００内に流れ込む冷気６０の一部を排気側に開放する（図５の破線部参照）。上記所定値は、通路４３に流れ込む冷気６０の流入圧および情報処理機器５０に取り付けられた空冷ファン５１の排気能力等を考慮して、開閉部３３１の厚さおよび材質の選択、または、ヒンジ３２１の回動抵抗の調整等により所望に設定することができる。これにより、機器収容室用空調システム１１の機器収容ラック２１は、ラック本体１００の冷気導入口１０１から導入される冷気６０による風圧の上昇を抑えて一定に保つことができるので、情報処理機器５０に取り付けられた空冷ファン５１に対して排気能力を上回る過大な負荷がかかることを防ぐことができる。
【００３２】
図６は、さらに他の実施形態に係る機器収容室用空調システム１２の外観を示す斜視図である。図６において図１から図５と同じ参照番号を付したものについては同じ構成であるので説明を省略する。図６に示すように、機器収容室用空調システム１２の機器収容ラック２１において、風圧調整部のさらに他の形態であるフラップ３０２は、出入扉２３０に配される。このフラップ３０２は、図６に示すように、開口部３１２、把持部３２２および開閉部３３２を有する。開閉部３３２は、例えば樹脂またはゴム等で形成される板状の部材であり、ヒンジ３２１に接着またはビス留め等の方法で固定される。
【００３３】
上記フラップ３０２の開閉部３３２は、冷気導入部２００内に流れ込む冷気６０の風圧が機器収容ラック２２の排気側の気圧よりも所定値以上高い場合に開いて、冷気導入部２００内に流れ込む冷気６０の一部を排気側に開放する。上記所定値は、通路４３に流れ込む冷気６０の流入圧および情報処理機器５０に取り付けられた空冷ファン５１の排気能力等を考慮して開閉部３３２の厚さおよび材質等を選択することで所望に設定することができる。これにより、機器収容室用空調システム１２の機器収容ラック２２は、ラック本体１００の冷気導入口１０１から導入される冷気６０による風圧の上昇を抑えて一定に保つことができるので、情報処理機器５０に取り付けられた空冷ファン５１に対して排気能力を上回る過大な負荷がかかることを防ぐことができる。
【００３４】
図７は、さらに他の実施形態に係る機器収容室用空調システム１３の一部を透視した斜視図である。また、図８は、機器収容ラック２３の通路４３と直交する面における概略断面図である。図７および図８において図１から図６と同じ参照番号を付したものについては同じ構成であるので説明を省略する。図７および図８に示すように、機器収容室用空調システム１３の機器収容ラック２３において、ラック本体１００の各段のうちで情報処理機器５０が収容されていない段には、冷気導入口１０１を塞いで冷気６０の導入を遮断するブランクパネル４００が取り付けられる。このとき、ラック本体１００の下段から優先的に情報処理機器５０が収容されるので、ブランクパネル４００は、多くの場合、ラック本体１００の上段から取り付けられる。
【００３５】
上記ブランクパネル４００は、それぞれその中央部に開口部４１０を有し、ラック本体１００の内側の面に風圧調整部のさらに他の形態であるフラップ３０３が配される。このフラップ３０３は、図８に示すように、開口部３１３、把持部３２３および開閉部３３３を有する。開閉部３３３は、例えば樹脂またはゴム等で形成されたシート状または板状の部材であり、把持部３２０に接着またはビス留め等の方法で固定される。
【００３６】
上記フラップ３０３の開閉部３３３は、冷気導入部２００内に流れ込む冷気６０の風圧が機器収容ラック２３の排気側の気圧よりも所定値以上高い場合に開いて、冷気導入部２００内に流れ込む冷気６０の一部をラック本体１００の熱気排出口１０２から排気側に開放する。上記所定値は、通路４３に流れ込む冷気６０の流入圧および情報処理機器５０に取り付けられた空冷ファン５１の排気能力等を考慮して開閉部３３２の厚さおよび材質等を選択することで所望に設定することができる。これにより、機器収容室用空調システム１３の機器収容ラック２３は、ラック本体１００の大半の冷気導入口１０１がブランクパネル４００で塞がれた場合でも、ラック本体１００のブランクパネル４００で塞がれていない冷気導入口１０１から導入される冷気６０による風圧の上昇を抑えて一定に保つことができる。したがって、情報処理機器５０に取り付けられた空冷ファン５１に対して排気能力を上回る過大な負荷がかかることを防ぐことができる。
【００３７】
図９は、さらに他の実施形態に係る機器収容室用空調システム１４の外観を示す斜視図である。また、図１０は、機器収容ラック２４の通路４３と直交する面における概略断面図である。図９および図１０において図１から図８と同じ参照番号を付したものについては同じ構成であるので説明を省略する。図９に示すように、機器収容室用空調システム１４の機器収容ラック２４は、冷気導入部２００の側面２１０に風圧調整部のさらに他の形態であるスリット５００が形成されている。このスリット５００は、図９および図１０に示すように、冷気導入部２００の側面２１０を水平に貫通している。
【００３８】
上記スリット５００は、冷気導入部２００の内に流れ込む冷気６０の一部を排気側に開放して冷気６０の風圧の上昇を抑える。ここで、スリット５００の幅および本数等は、通路４３に流れ込む冷気６０の流入圧および情報処理機器５０に取り付けられた空冷ファン５１の排気能力等を考慮して所望に設定することができる。これにより、機器収容室用空調システム１４の機器収容ラック２４は、上記フラップ３００、３０１、３０２、３０３よりも簡易な風圧調整部であるスリット５００によって、ラック本体１００の冷気導入口１０１から導入される冷気６０による風圧の上昇を抑えることができる。したがって、情報処理機器５０に取り付けられた空冷ファン５１に対して排気能力を上回る過大な負荷がかかることがなく、空冷ファン５１の故障を防ぐことができる。なお、スリット５００は、冷気導入部２００の天面２２０または上記のブランクパネル４００に形成されてもよく、冷気導入部２００の側面２１０も含めてこれらの複数箇所に形成されてもよい。
【００３９】
図１１は、さらに他の実施形態に係る機器収容室用空調システム１５の外観を示す斜視図である。また、図１２は、機器収容ラック２５の通路４３と直交する面における概略断面図である。図１１および図１２において図１から図１０と同じ参照番号を付したものについては同じ構成であるので説明を省略する。図１１に示すように、機器収容室用空調システム１５の機器収容ラック２５は、冷気導入部２００の側面２１０に風圧調整部のさらに他の形態であるノズル６００を備えている。このノズル６００は、図１１および図１２に示すように、冷気導入部２００の側面２１０に複数配されている。
【００４０】
上記ノズル６００は、冷気導入部２００の内に流れ込む冷気６０の一部を排気側に開放して冷気６０の風圧の上昇を抑える。ここで、ノズル６００の数等は、通路４３に流れ込む冷気６０の流入圧および情報処理機器５０に取り付けられた空冷ファン５１の排気能力等を考慮して所望に設定することができる。これにより、機器収容室用空調システム１５の機器収容ラック２５は、上記フラップ３００、３０１、３０２、３０３よりも簡易な風圧調整部であるノズル６００によって、ラック本体１００の冷気導入口１０１から導入される冷気６０による風圧の上昇を抑えることができる。したがって、情報処理機器５０に取り付けられた空冷ファン５１に対して排気能力を上回る過大な負荷がかかることを防ぐことができる。なお、ノズル６００は、冷気導入部２００の天面２２０または上記のブランクパネル４００に配されてもよく、冷気導入部２００の側面２１０も含めてこれらの複数箇所に配されてもよい。
【００４１】
以上、本発明を実施の形態を用いて説明したが、本発明の技術的範囲は上記実施の形態に記載の範囲には限定されない。上記実施の形態に、多様な変更または改良を加えることができることが当業者に明らかである。その様な変更または改良を加えた形態も本発明の技術的範囲に含まれ得ることが、特許請求の範囲の記載から明らかである。
【図面の簡単な説明】
【００４２】
【図１】本発明の実施形態に係る機器収容室用空調システム１０の外観を示す斜視図である。
【図２】機器収容室用空調システム１０の一部を透視した斜視図である。
【図３】機器収容ラック２０の通路４３と直交する面における概略断面図、および、フラップ３００の拡大図である。
【図４】他の実施形態に係る機器収容室用空調システム１１の外観を示す斜視図である。
【図５】機器収容ラック２１の通路４３と直交する面における概略断面図である。
【図６】さらに他の実施形態に係る機器収容室用空調システム１２の外観を示す斜視図である。
【図７】さらに他の実施形態に係る機器収容室用空調システム１３の一部を透視した斜視図である。
【図８】機器収容ラック２３の通路４３と直交する面における概略断面図である。
【図９】さらに他の実施形態に係る機器収容室用空調システム１４の外観を示す斜視図である。
【図１０】機器収容ラック２４の通路４３と直交する面における概略断面図である。
【図１１】さらに他の実施形態に係る機器収容室用空調システム１５の外観を示す斜視図である。
【図１２】機器収容ラック２５の通路４３と直交する面における概略断面図である。
【符号の説明】
【００４３】
１０、１１、１２、１３、１４、１５  機器収容室用空調システム、２０、２１、２２、２３、２４、２５  機器収容ラック、３０  空調装置、３１  吸気口、３２  吹出口、４０  二重床、４１  内部空間、４２  通風板、５０  情報処理機器、５１  空冷ファン、６０  冷気、７０  熱気、１００  ラック本体、１０１  冷気導入口、１０２  熱気排出口、２００  冷気導入部、２１０  側面、２２０  天面、２３０  出入扉、３００、３０１、３０２、３０３  フラップ、３１０、３１１、３１２、３１３  開口部、３２０、３２２、３２３  把持部、３２１  ヒンジ、３３０、３３１、３３２、３３３  開閉部、４００  ブランクパネル、４１０  開口部、５００  スリット、６００  ノズル
【図１】
2007316989.tif 000003
【図２】
2007316989.tif 000004
【図３】
2007316989.tif 000005
【図４】
2007316989.tif 000006
【図５】
2007316989.tif 000007
【図６】
2007316989.tif 000008
【図７】
2007316989.tif 000009
【図８】
2007316989.tif 000010
【図９】
2007316989.tif 000011
【図１０】
2007316989.tif 000012
【図１１】
2007316989.tif 000013
【図１２】
2007316989.tif 000014